(57)【要約】【課題】軽トラックの荷台に増設される幌カバーと差し枠パネルを安定的に立設させると共に、荷台のあおりに確実に固定でき、且つ現場での取り付け取り外しが容易にできる幌カバー付き軽トラックの提供を図る。【解決手段】本発明の幌カバー付き軽トラックは、幌カバーと、骨組みパイプと、あおりパイプ固定具と、差し枠パネルと、脱落ガタ防止手段と、で構成され、組み立て時において、あおりパイプ固定具の上部狭持部を軽トラックのあおりの上端部に差し込んで連結固定すると共に、軽トラックのあおりと骨組みパイプを連結固定し、さらにあおりパイプ固定具の下部狭持部に差し枠パネルを差し込むと共に、脱落ガタ防止手段によって差し枠パネルの上端面を狭持した状態で骨組みパイプの上方から幌カバーを被覆して組み立てられる手段を採る。【選択図】図１
2019014370.tif 000002
【特許請求の範囲】
【請求項１】
幌カバーと、骨組みパイプと、あおりパイプ固定具と、で構成される幌カバー付き軽トラックであって、
前記幌カバーは、天面部が両側に傾斜する切妻状に形成されると共に、側面立ち上がり部が垂れ幕状に形成され、さらに該天面部と側面立ち上がり部には其々が開口可能なファスナー部を設けて成り、
前記骨組みパイプは、複数の連結パイプと連結継手の組み合わせによって前記幌カバーの骨組みを形成する形状に組み立てられて成り、
前記あおりパイプ固定具は、上方には脱落防止手段と連結固定手段を備える略コの字状の上部狭持部を外側且つ下向きに形成すると共に、下方部には略コの字状の下部狭持部を内側且つ上向きに形成して軽トラックのあおりの複数の所定箇所に配置して成り、
組み立て時において、前記あおりパイプ固定具の上部狭持部を軽トラックのあおりの上端部に差し込んで連結固定すると共に、軽トラックのあおりと前記骨組みパイプを連結固定した状態で前記骨組みパイプの上方から前記幌カバーを被覆して組み立てられることを特徴とする幌カバー付き軽トラック。
【請求項２】
幌カバーと、骨組みパイプと、あおりパイプ固定具と、差し枠パネルと、脱落ガタ防止手段と、で構成される幌カバー付き軽トラックであって、
前記幌カバーは、天面部が両側に傾斜する切妻状に形成されると共に、側面立ち上がり部が垂れ幕状に形成され、さらに該天面部と側面立ち上がり部には其々が開口可能なファスナー部を設けて成り、
前記骨組みパイプは、複数の連結パイプと連結継手の組み合わせによって前記幌カバーの骨組みを形成する形状に組み立てられて成り、
前記あおりパイプ固定具は、上方には脱落防止手段と連結固定手段を備える略コの字状の上部狭持部を外側且つ下向きに形成すると共に、下方部には略コの字状の下部狭持部を内側且つ上向きに形成して軽トラックのあおりの複数の所定箇所に配置して成り、
前記差し枠パネルは、市販の建築養生用のコンクリートパネルを軽トラックの荷台の側面内に対向させて収まる所用の奥行幅ならび高さ寸法を有する形状に形成すると共に、下端部をあおりパイプ固定具の下部狭持部に差し込んで狭持固定して成り、
前記脱落ガタ防止手段は、あおり延長パイプに挿通される固定嵌合部と、前記差し枠パネルの上端面を狭持する略Ｕ字状の狭持部を備えて成り、
組み立て時において、前記あおりパイプ固定具の上部狭持部を軽トラックのあおりの上端部に差し込んで連結固定すると共に、軽トラックのあおりと前記骨組みパイプを連結固定し、さらに前記あおりパイプ固定具の下部狭持部に前記差し枠パネルを差し込むと共に、前記脱落ガタ防止手段によって前記差し枠パネルの上端面を狭持した状態で前記骨組みパイプの上方から前記幌カバーを被覆して組み立てられることを特徴とする幌カバー付き軽トラック。
【発明の詳細な説明】
【技術分野】
【０００１】
本発明は、軽トラックの荷台に増設される幌カバーと差し枠パネルを安定的に立設させると共に、荷台のあおりに確実に固定でき、且つ現場での取り付け取り外しが容易にできる幌カバー付き軽トラックに関する。
【背景技術】
【０００２】
従来より、軽トラックが利用されている農業、漁業、林業の分野においては、日常的な交通手段としてはもとより生産物、資材、肥料、土壌など多様な積載物の運搬手段として広く使用されている。一方、機械や食品製造業の分野においては、梱包製品や箱詰めされた商品の流通移動手段として広く使用されている。他方、サービス業、運送業、販売業の分野においては、書類、什器、宅配品、販売品などの配達手段の一つとして多様に使用されている。以上のように、従来における軽トラックの活用方法は、各産業分野に亘って多様に利用され、その利用目的に合わせて荷台の積載手段も各メーカーや専門業者によって多様な形状を以って提供されている。
【０００３】
上記における具体的な提案例としては、荷崩れ防止構造物を構成する支柱部材等の立設部材を、車両荷台のあおりの上部に、簡易なボルト固定手段によって安全且つ簡易に固定することができる「車両荷台のあおりに対する立設部材の固定装置及び該固定装置を構成する固定枠部材の装着方法」（特許文献１）が提案され、公知技術となっている。
【０００４】
しかしながら、係る「車両荷台のあおりに対する立設部材の固定装置及び該固定装置を構成する固定枠部材の装着方法」の提案は、立設部材の下端に固定される固定枠部材と、固定枠部材に螺合される水平固定ボルトと、垂直固定ボルトを具える。固定枠部材は、あおりの上部の水平板部に載置される水平片部と、その内外端で下方に突出する内側垂下片部と外側垂下片部と、外側垂下片部の下端で内方に突出する突出片部を具える。外側垂下片部の下側部分に前記水平固定ボルトが螺合され、突出片部に前記垂直固定ボルトが螺合されている。内側垂下片部と外側垂下片部との間にあおりの上部を嵌入し、この嵌入状態で水平固定ボルト及び垂直固定ボルトを締め付けることにより固定枠部材をあおりの上部に固定できるようにして、車両荷台のあおりの上部に対する支柱部材等の立設部材の固定を、簡易なボルト固定手段によって安全に固定することを目的とするあおりの提案であって、該提案を実施するにあたっては固定枠部材を車両のあおりの上部に直接固定する手段を採用していることから、車両のあおりが上げられていることが前提条件となるもので、あおりを上げた状態で軽トラックの側面からの積載物の出し入れができないといった構造上の問題があるものであった。
【０００５】
また、トラック本体に対する振動を抑えることが可能な「トラックのあおり補助部材」が（特許文献２）が提案され、公知技術となっている。
【０００６】
しかしながら、係る「トラックのあおり補助部材」の提案は、あおり補助部材を構成する側用部材は、側あおりに沿ってその上側に設けられる平板状の枠体と、当該枠体に取り付けられた２つの支柱とを備える。支柱は、その先端に、第１平板部、第２平板部及び第３平板部からなるクランク状のステーを備える。側用部材は、第２平板部の下面が荷台の上面に当接すると共に、第３平板部の裏面が荷台の側面に当接するように、荷台の周縁に取り付けられる。側あおりが閉じている状態では、側あおりの下面が第２平板部の上面に当接し、第２平板部が側あおりと荷台とに挟み込まれるように構成される。これにより、側用部材は、側あおり及び荷台により固定できるようにした提案であって、該提案は、側用部材に取り付けられている支柱が単に側あおりと荷台との間に挟み込まれる手段を採っていることによって、補助部材自体があおりを利用して自立する構造（両側の側用部材と後用部材が組み立てられた状態において初めて自立する構造）を採用していることから、あおり補助部材を組み立てる際は一人作業が困難なものであると共に、支柱が積載物の外側にかかる荷重をまともに受けるため支柱自体の剛性を高めなければならずその結果、荷台の内側にその剛性手段を構築しなければならないことから、結果的に荷台容量を減らすことになると共に、そのリブ等で形成される剛性手段に流動物や箱物が引っ掛かって作業がやりづらいといった構造上の問題があるものであった。
【０００７】
また、雪運びや堆肥運びに利用できるように積載量を増大させることができる「軽トラックのコンパネ用コーナーブラケット」が（特許文献３）が提案され、公知技術となっている。
【０００８】
しかしながら、係る「軽トラックのコンパネ用コーナーブラケット」の提案は、コンパネ用コーナーブラケットは、開口側が外向きになるように互いに９０°の角度で背中向きに配置した断面Ｕ字形鋼材からなるコンパネ支持ブラケットと、該コンパネ支持ブラケットの上下端を連結固定する正三角形の上板及び正方形の底板と、一方のコンパネ支持ブラケットの中間位置及び下端位置で閉鎖端の外側側壁から他方のコンパネ支持ブラケットの幅を越えて平行に延長した取付固定片と、他方のコンパネ支持ブラケットの中間位置及び下端位置で閉鎖端の外側側壁から前記取付固定片へ突き当って支持する支持固定片とから構成されることから、コンパネ用コーナーブラケットを軽トラックの荷台にボルト等で固着しなければならず、さらに、荷台の四隅にコーナーブラケットが立設していることによって積載物の積み込みならびに積み下ろし作業のやり辛さならびに作業効率が極めて悪いといった問題があると共に、コンパネ用コーナーラックに脱落防止手段が設けられていないことから、コンパネの交差部を固定するコンパネ用コーナーラックが走行中の振動などでコンパネから外れてから脱落する可能性があるものであった。
【０００９】
本出願人は、上記における軽トラックのあおりを利用した差し枠パネルの構造上の問題点に着目し、従来の差し枠パネルにおける積載作業の効率化、固定構造の簡易化ならびに軽量化を図り、さらに現場での取り付け取り外しが容易にできる共に、天候に左右されず、多様な目的に対応できる幌カバー付き軽トラックの提供ができないものかという着想の下、軽トラックの荷台に増設される差し枠パネルを安定的に立設させると共に、荷台のあおりに確実に固定でき、且つ現場での取り付け取り外しが容易にできる幌カバー付き軽トラックを開発し、本発明における「幌カバー付き軽トラック」の提案に至るものである。
【先行技術文献】
【特許文献】
【００１０】
【特許文献１】特開２００７−８３８５０号公報
【特許文献２】実用新案登録第３２０８２６３号公報
【特許文献３】実用新案登録第３１７６４１４号公報
【発明の概要】
【発明が解決しようとする課題】
【００１１】
本発明は、軽トラックの荷台に増設される幌カバーと差し枠パネルを安定的に立設させると共に、荷台のあおりに確実に固定でき、且つ現場での取り付け取り外しが容易にできる幌カバー付き軽トラックの提供を図ることを課題とする。
【課題を解決するための手段】
【００１２】
本発明は上記課題を解決するためになされるもので、本発明の幌カバー付き軽トラックは、幌カバーと、骨組みパイプと、あおりパイプ固定具と、で構成される幌カバー付き軽トラックであって、前記幌カバーは、天面部が両側に傾斜する切妻状に形成されると共に、側面立ち上がり部が垂れ幕状に形成され、さらに該天面部と側面立ち上がり部には其々が開口可能なファスナー部を設けて成り、前記骨組みパイプは、複数の連結パイプと連結継手の組み合わせによって前記幌カバーの骨組みを形成する形状に組み立てられて成り、前記あおりパイプ固定具は、上方には脱落防止手段と連結固定手段を備える略コの字状の上部狭持部を外側且つ下向きに形成すると共に、下方部には略コの字状の下部狭持部を内側且つ上向きに形成して軽トラックのあおりの複数の所定箇所に配置して成り、組み立て時において、前記あおりパイプ固定具の上部狭持部を軽トラックのあおりの上端部に差し込んで連結固定すると共に、軽トラックのあおりと前記骨組みパイプを連結固定した状態で前記骨組みパイプの上方から前記幌カバーを被覆して組み立てられる手段を採る。
【００１３】
また、本発明の幌カバー付き軽トラックは、幌カバーと、骨組みパイプと、あおりパイプ固定具と、差し枠パネルと、脱落ガタ防止手段と、で構成される幌カバー付き軽トラックであって、前記幌カバーは、天面部が両側に傾斜する切妻状に形成されると共に、側面立ち上がり部が垂れ幕状に形成され、さらに該天面部と側面立ち上がり部には其々が開口可能なファスナー部を設けて成り、前記骨組みパイプは、複数の連結パイプと連結継手の組み合わせによって前記幌カバーの骨組みを形成する形状に組み立てられて成り、前記あおりパイプ固定具は、上方には脱落防止手段と連結固定手段を備える略コの字状の上部狭持部を外側且つ下向きに形成すると共に、下方部には略コの字状の下部狭持部を内側且つ上向きに形成して軽トラックのあおりの複数の所定箇所に配置して成り、前記差し枠パネルは、市販の建築養生用のコンクリートパネルを軽トラックの荷台の側面内に対向させて収まる所用の奥行幅ならび高さ寸法を有する形状に形成すると共に、下端部をあおりパイプ固定具の下部狭持部に差し込んで狭持固定して成り、前記脱落ガタ防止手段は、あおり延長パイプに挿通される固定嵌合部と、前記差し枠パネルの上端面を狭持する略Ｕ字状の狭持部を備えて成り、組み立て時において、前記あおりパイプ固定具の上部狭持部を軽トラックのあおりの上端部に差し込んで連結固定すると共に、軽トラックのあおりと前記骨組みパイプを連結固定し、さらに前記あおりパイプ固定具の下部狭持部に前記差し枠パネルを差し込むと共に、前記脱落ガタ防止手段によって前記差し枠パネルの上端面を狭持した状態で前記骨組みパイプの上方から前記幌カバーを被覆して組み立てられる手段を採る。
【発明の効果】
【００１４】
本発明の幌カバー付き軽トラックによれば、幌カバーと、骨組みパイプが軽トラックのあおりを利用して固定される手段を採用していることによって、走行中における幌カバーと骨組みパイプの固定ならびに脱落防止が確実に図れるといった優れた効果を奏する。
【００１５】
また、本発明の幌カバー付き軽トラックによれば、構成部品が簡易構造であるため、分解組み立てが容易にでき、さらに現場での取り付け取り外し作業が容易にできるといった優れた効果を奏する。
【００１６】
また、本発明の幌カバー付き軽トラックによれば、差し枠パネルを市販のコンパネを利用することで製品自体のコストダウンが図れると共に、コンパネ自体をユーザー自身が購入することで流通段階の運送費の節約が図れるといった優れた効果を奏する。
【００１７】
また、本発明の幌カバー付き軽トラックによれば、軽トラックの荷台の側方を差し枠パネルで囲むことによって、土砂、肥料などの流動物を容易に運搬ならびに積載することができるといった優れた効果を奏する。
【００１８】
また、本発明の幌カバー付き軽トラックによれば、骨組みパイプに脱落ガタ防止手段が設けられていることによって、差し枠パネルの走行中の脱落を防ぐと共に、走行中のガタによる騒音を防止することができ、さらに差し枠パネルの内外側への倒れ込みを防止することができるといった優れた効果を奏する。
【００１９】
また、本発明の幌カバー付き軽トラックによれば、幌カバーの大きさが軽トラックの車両外観寸法内に収まる形状で形成されることから、施工道具や工事用材料など小型且つ少量の積載物をコンパクトに収納することができるといった優れた効果を奏する。
【図面の簡単な説明】
【００２０】
【図１】本発明の幌カバー付き軽トラックにおける実施形態を示す分解斜視図である。        （実施例１）
【図２】本発明の幌カバー付き軽トラックにおける使用状態を示す全体斜視図である。
【図３】本発明の幌カバー付き軽トラックにおける脱落防止手段を示す説明図である。
【図４】本発明の幌カバー付き軽トラックにおける連結固定手段を示す説明図である。
【図５】本発明の幌カバー付き軽トラックにおけるその他の実施形態を示す分解斜視図である。（実施例２）
【図６】本発明の幌カバー付き軽トラックにおける使用状態を示す全体斜視図である。
【図７】本発明の幌カバー付き軽トラックにおける連結固定手段を示す説明図である。
【図８】本発明の幌カバー付き軽トラックにおける脱落ガタ防止手段を示す説明図である。
【発明を実施するための形態】
【００２１】
本発明における幌カバー付き軽トラック１０は、幌カバー２０と、骨組みパイプ３０と、あおりパイプ固定具４０と、で構成される幌カバー付き軽トラック１０であって、組み立て時において、あおりパイプ固定具４０の上部狭持部４１を軽トラックＫのあおりＤの上端部に差し込んで連結固定すると共に、軽トラックＫのあおりＤと骨組みパイプ３０を連結固定した状態で骨組みパイプ３０の上方から幌カバー２０を被覆して組み立てることができる手段を採ったことを最大の特徴とする。以下、本発明の実施形態を、図面に基づいて説明する。
【００２２】
尚、本発明の幌カバー付き軽トラック１０は、以下に述べる実施例に限定されるものではなく、本発明の技術的思想の範囲内、すなわち同一の作用効果を発揮できる形状及び寸法の範囲内で、適宜変更することができる。
【実施例１】
【００２３】
図1は、本発明の幌カバー付き軽トラックにおける実施形態を示す分解斜視図である。
本発明の幌カバー付き軽トラック１０は、幌カバー２０と、骨組みパイプ３０と、あおりパイプ固定具４０と、で構成される。
【００２４】
幌カバー２０は、天面部２１が両側に傾斜する切妻状に形成されると共に、側面立ち上がり部２２には下端部に荷役固定バンドの固定嵌合部を形成する垂れ幕状に形成され、さらに該天面部２１と側面立ち上がり部２２（前方部は除く）には其々が開口可能な位置にファスナー部２３が設けられて形成される。
また、使用目的によっては天面部２１の形状を後方に傾斜するコンパクトな片流れ状に形成することもできる。
【００２５】
骨組みパイプ３０は、複数の金属製の連結パイプ３１と連結継手３２の組み合わせによって幌カバー２０の切妻型の骨組みを形成する形状に組み立てられる。
また、骨組みパイプ３０の前後に配置されるあおりパイプ固定具４０に跨って連結される着脱連結パイプ３１aは、積載物の出し入れの際に取り付け取り外しが自在にできる着脱連結手段３３を設けて形成される手段を採ることもできる。
【００２６】
あおりパイプ固定具４０は、上方には脱落防止手段４２と連結固定手段４３（図３，４参照）を備える略コの字状の上部狭持部４１を外側且つ下向きに形成すると共に、下方部には略コの字状の下部狭持部４６を内側且つ上向きに形成して軽トラックＫのあおりＤの複数の所定箇所に配置される。
尚、下方部に設けられる略コの字状の下部狭持部４６はコンパネを使用しない仕様とする場合は、軽トラックＫの荷台Ｎの底面に突き当たる平板状の突き当て部によって形成することもできる。
【００２７】
以上で構成される本発明の幌カバー付き軽トラック１０は、軽トラックＫのあおりＤの上端面に設置される骨組みパイプ３０を安定的且つ確実に固定でき、さらに現場での幌カバー２０の取り付け取り外しが容易にできる幌カバー付き軽トラック１０の提供を可能にする。
【００２８】
図２は、本発明の幌カバー付き軽トラックにおける使用状態を示す全体斜視図である。
本発明の幌カバー付き軽トラック１０は、軽トラックＫのあおりＤの上端面に設置される骨組みパイプ３０を安定的且つ確実に固定でき、さらに現場での幌カバー２０の取り付け取り外しが容易にできると共に、幌カバー２０の天面部２１と側面立ち上がり部２２には其々が開口可能な位置にファスナー部２３が設けられていることにより、軽トラックＫの両側面ならびに後面からの荷物の積み下ろしが容易にできる幌カバー付き軽トラック１０の提供を可能にする。
【００２９】
図３は、本発明の幌カバー付き軽トラックにおける脱落防止手段を示す説明図である。
本発明における脱落防止手段４２は、略コの字状の上部狭持部４１の外側の側面に形成されるもので、例えば、低頭ボルト４２aと締め付け用のナット４２bと突き当て用の合成樹脂製のボルトキャップ４２cで構成され、図に示すようにあおりパイプ固定具４０の上部狭持部４１を軽トラックＫのあおりＤの上端面首下に連結固定する構造を有して形成される。
【００３０】
脱落防止手段４２の取り付け方法は、あおりパイプ固定具４０の上部狭持部４１を軽トラックＫのあおりＤの上端に差し込んでから、上部狭持部４１の内側に締め付け用のナット４２bとボルトキャップ４２cを当てがい、外側から低頭ボルト４２aをナット４２bの回転を阻止した状態でねじ込み、一定の締め付け状態になったら今度は低頭ボルト４２aの回転を阻止した状態にしてナット４２bを回転させて低頭ボルト４２aの先端を軽トラックＫのあおりＤの側面に押し付けて固定する。
【００３１】
図４は、本発明の幌カバー付き軽トラックにおける連結固定手段を示す説明図である。
本発明における連結固定手段４３は、略コの字状の上部狭持部４１の上面に形成されるもので、例えば、パイプ受け部４４を略コの字状の上部狭持部４１の上面に突設すると共に、該パイプ受け部４４と連結継手３２を連結する所定の長さを有する連結パイプ３１が差し込まれる構造を有して形成される。
尚、上記における連結嵌合部は、例えば、セットビス４２ｄ、差し込みピン、ボルトナット、螺合等によって確実に連結固定される。
【実施例２】
【００３２】
図５は、本発明の幌カバー付き軽トラックにおけるその他の実施形態を示す分解斜視図である。
本発明の幌カバー付き軽トラック１０は、幌カバー２０と、骨組みパイプ３０と、あおりパイプ固定具４０と、差し枠パネル５０と、脱落ガタ防止手段５０と、で構成される幌カバー付き軽トラック１０であって、組み立て時において、あおりパイプ固定具４０の上部狭持部４１を軽トラックＫのあおりＤの上端部に差し込んで連結固定すると共に、軽トラックＫのあおりＤと骨組みパイプ３０を連結固定し、さらにあおりパイプ固定具４０の下部狭持部４６に差し枠パネル５０を差し込むと共に、脱落ガタ防止手段６０によって差し枠パネル５０の上端面を狭持した状態で骨組みパイプ３０の上方から幌カバー２０を被覆して組み立てられる形状に形成される。
【００３３】
上記における骨組みパイプ３０と、あおりパイプ固定具４０の構造と脱落防止手段４２ならびに連結固定手段４３は、請求項１記載の幌カバー付き軽トラック１０と同様の構造を有して構成されるものであるが、あおりパイプ固定具４０に連結される連結パイプ３１に相当するあおり延長パイプ４５の長さが差し枠パネル５０の高さ寸法分上方に延長されて形成される。
【００３４】
差し枠パネル５０は、市販の建築養生用のコンクリートパネルを軽トラックＫの荷台Ｎの側面内に対向させて収まる形状に形成し、上端部は差し枠パネル固定具６０によって狭持固定し、下端部はあおりパイプ固定具４０の下部狭持部４６に差し込んで狭持固定し、さらに走行中の脱落ならびにガタを防止する脱落ガタ防止手段５０（図８参照）によって係止される。
【００３５】
図６は、本発明の幌カバー付き軽トラックにおける使用状態を示す全体斜視図である。
本発明の幌カバー付き軽トラック１０は、軽トラックＫのあおりＤの上端面に設置される骨組みパイプ３０を安定的且つ確実に固定でき、さらに現場での幌カバー２０の取り付け取り外しが容易にできると共に、幌カバー２０の天面部２１と側面立ち上がり部２２には其々が開口可能な位置にファスナー部２３が設けられていることにより、軽トラックＫの両側面ならびに後面からの荷物の積み下ろしが容易にできると共に、差し枠パネル５０が設けられることによって重量物の積載量を割り増しすることができる幌カバー付き軽トラック１０の提供を可能にする。
【００３６】
図７は、本発明の幌カバー付き軽トラックにおける連結固定手段を示す説明図である。
本発明における連結固定手段４３は、あおりパイプ固定具４０の上部狭持部４１の上面に形成されるもので、例えば、パイプ受け部４４を略コの字状の上部狭持部４１の上面に突設すると共に、該パイプ受け部４４と連結継手３２を連結する所定の長さを有するあおり延長パイプ４５が差し込まれる構造を有して形成される。
尚、上記における連結嵌合手段は、例えば、セットビス４２ｄ、差し込みピン、ボルトナット、螺合等によって確実に連結固定される。
【００３７】
図８は、本発明の幌カバー付き軽トラックにおける脱落ガタ防止手段を示す説明図である。
脱落ガタ防止手段６０は、差し枠パネル５０が走行中にあおりパイプ固定具４０からの脱落することを防ぐと共に、走行中のガタによる騒音を防止する目的で形成されるもので、あおりパイプ固定具４０の上端面に立設して連結されるあおり延長パイプ４５に挿通される固定嵌合部６２と差し枠パネル５０の上端面を略Ｕ字状の狭持部６１で狭持する構造によって達成する形状を有するもので、例えば、図示するような構造を有する手段が考えられる。
【００３８】
図８（a）あおり延長パイプ４５に挿通される固定嵌合部６２と差し枠パネル５０の上端面を略Ｕ字状の狭持部６１で狭持する構造。
【００３９】
図８（b）あおり延長パイプ４５に挿通されるプレート状の固定嵌合部６２と差し枠パネル５０の上端面を略Ｕ字状の狭持部６１で狭持する構造。
【００４０】
以上で構成される本発明の脱落ガタ防止手段６０は、差し枠パネル５０が走行中に軽トラックＫの荷台Ｎからの脱落を防ぐと共に、走行中のガタによる騒音を防止する目的で形成されることから、その形状ならびに構造は特に限定されるものではない。
【産業上の利用可能性】
【００４１】
本発明の幌カバー付き軽トラックは、積載作業の効率化、固定構造の簡易化ならびに軽量化に加えて現場での取り付け取り外しが容易であると共に、天候に左右されず、多様な目的に対応できる固定手段を軽トラックの荷台のあおりに内接させると共に、自立する構造で形成されるもので、従来の幌カバーやあおりの固定具と比して、取扱いならびに運搬の容易性、製品価格の経済性、農事作業のやり易さなど第一次産業から第三次産業に跨る各ユーザーの多様な要求を満たすことができると共に、小型ならびに中型の貨物トラックにもユーザーの需要に合わせて装着することができることから、本発明の「幌カバー付き軽トラック」の産業上の利用可能性は極めて大であるものと思料する。
【符号の説明】
【００４２】
１０  幌カバー付き軽トラック
２０  幌カバー
２１  天面部
２２  側面立ち上がり部
２３  ファスナー部
３０  骨組みパイプ
３１  連結パイプ
３１a 着脱連結パイプ
３２  連結継手
３３  着脱連結手段
４０  あおりパイプ固定具
４１  上部狭持部
４２  脱落防止手段
４２a 低頭ボルト
４２b ナット
４２c ボルトキャップ
４２d セットビス
４３  連結固定手段
４４  パイプ受け部
４５  あおり延長パイプ
４６  下部狭持部
５０  差し枠パネル
６０  脱落ガタ防止手段
６１  狭持部
６２  固定嵌合部
Ｋ  軽トラック
Ｎ  荷台
Ｄ  あおり
【図１】
2019014370.tif 000003
【図２】
2019014370.tif 000004
【図３】
2019014370.tif 000005
【図４】
2019014370.tif 000006
【図５】
2019014370.tif 000007
【図６】
2019014370.tif 000008
【図７】
2019014370.tif 000009
【図８】
2019014370.tif 000010
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
幌カバーと、骨組みパイプと、あおりパイプ固定具と、差し枠パネルと、脱落ガタ防止手段と、で構成される幌カバー付き軽トラックであって、
前記幌カバーは、天面部が両側に傾斜する切妻状に形成されると共に、側面立ち上がり部が垂れ幕状に形成され、さらに該天面部と側面立ち上がり部には其々が開口可能なファスナー部を設けて成り、
前記骨組みパイプは、複数の連結パイプと連結継手の組み合わせによって前記幌カバーの骨組みを形成する形状に組み立てられて成り、
前記あおりパイプ固定具は、上方には脱落防止手段と連結固定手段を備える略コの字状の上部狭持部を外側且つ下向きに形成すると共に、下方部には略コの字状の下部狭持部を内側且つ上向きに形成して軽トラックのあおりの複数の所定箇所に配置して成り、
前記差し枠パネルは、市販の建築養生用のコンクリートパネルを軽トラックの荷台の側面内に対向させて収まる所用の奥行幅ならび高さ寸法を有する形状に形成すると共に、下端部をあおりパイプ固定具の下部狭持部に差し込んで狭持固定して成り、
前記脱落ガタ防止手段は、あおり延長パイプに挿通される固定嵌合部と、前記差し枠パネルの上端面を狭持する略Ｕ字状の狭持部を備えて成り、
組み立て時において、前記あおりパイプ固定具の上部狭持部を軽トラックのあおりの上端部に差し込んで連結固定すると共に、軽トラックのあおりと前記骨組みパイプを連結固定し、さらに前記あおりパイプ固定具の下部狭持部に前記差し枠パネルを差し込むと共に、前記脱落ガタ防止手段によって前記差し枠パネルの上端面を狭持した状態で前記骨組みパイプの上方から前記幌カバーを被覆して組み立てられることを特徴とする幌カバー付き軽トラック。
【手続補正２】
【補正対象書類名】明細書
【補正対象項目名】全文
【補正方法】変更
【補正の内容】
【発明の詳細な説明】
【技術分野】
【０００１】
本発明は、軽トラックの荷台に増設される幌カバーと差し枠パネルを安定的に立設させると共に、荷台のあおりに確実に固定でき、且つ現場での取り付け取り外しが容易にできる幌カバー付き軽トラックに関する。
【背景技術】
【０００２】
従来より、軽トラックが利用されている農業、漁業、林業の分野においては、日常的な交通手段としてはもとより生産物、資材、肥料、土壌など多様な積載物の運搬手段として広く使用されている。一方、機械や食品製造業の分野においては、梱包製品や箱詰めされた商品の流通移動手段として広く使用されている。他方、サービス業、運送業、販売業の分野においては、書類、什器、宅配品、販売品などの配達手段の一つとして多様に使用されている。以上のように、従来における軽トラックの活用方法は、各産業分野に亘って多様に利用され、その利用目的に合わせて荷台の積載手段も各メーカーや専門業者によって多様な形状を以って提供されている。
【０００３】
上記における具体的な提案例としては、荷崩れ防止構造物を構成する支柱部材等の立設部材を、車両荷台のあおりの上部に、簡易なボルト固定手段によって安全且つ簡易に固定することができる「車両荷台のあおりに対する立設部材の固定装置及び該固定装置を構成する固定枠部材の装着方法」（特許文献１）が提案され、公知技術となっている。
【０００４】
しかしながら、係る「車両荷台のあおりに対する立設部材の固定装置及び該固定装置を構成する固定枠部材の装着方法」の提案は、立設部材の下端に固定される固定枠部材と、固定枠部材に螺合される水平固定ボルトと、垂直固定ボルトを具える。固定枠部材は、あおりの上部の水平板部に載置される水平片部と、その内外端で下方に突出する内側垂下片部と外側垂下片部と、外側垂下片部の下端で内方に突出する突出片部を具える。外側垂下片部の下側部分に前記水平固定ボルトが螺合され、突出片部に前記垂直固定ボルトが螺合されている。内側垂下片部と外側垂下片部との間にあおりの上部を嵌入し、この嵌入状態で水平固定ボルト及び垂直固定ボルトを締め付けることにより固定枠部材をあおりの上部に固定できるようにして、車両荷台のあおりの上部に対する支柱部材等の立設部材の固定を、簡易なボルト固定手段によって安全に固定することを目的とするあおりの提案であって、該提案を実施するにあたっては固定枠部材を車両のあおりの上部に直接固定する手段を採用していることから、車両のあおりが上げられていることが前提条件となるもので、あおりを上げた状態で軽トラックの側面からの積載物の出し入れができないといった構造上の問題があるものであった。
【０００５】
また、トラック本体に対する振動を抑えることが可能な「トラックのあおり補助部材」が（特許文献２）が提案され、公知技術となっている。
【０００６】
しかしながら、係る「トラックのあおり補助部材」の提案は、あおり補助部材を構成する側用部材は、側あおりに沿ってその上側に設けられる平板状の枠体と、当該枠体に取り付けられた２つの支柱とを備える。支柱は、その先端に、第１平板部、第２平板部及び第３平板部からなるクランク状のステーを備える。側用部材は、第２平板部の下面が荷台の上面に当接すると共に、第３平板部の裏面が荷台の側面に当接するように、荷台の周縁に取り付けられる。側あおりが閉じている状態では、側あおりの下面が第２平板部の上面に当接し、第２平板部が側あおりと荷台とに挟み込まれるように構成される。これにより、側用部材は、側あおり及び荷台により固定できるようにした提案であって、該提案は、側用部材に取り付けられている支柱が単に側あおりと荷台との間に挟み込まれる手段を採っていることによって、補助部材自体があおりを利用して自立する構造（両側の側用部材と後用部材が組み立てられた状態において初めて自立する構造）を採用していることから、あおり補助部材を組み立てる際は一人作業が困難なものであると共に、支柱が積載物の外側にかかる荷重をまともに受けるため支柱自体の剛性を高めなければならずその結果、荷台の内側にその剛性手段を構築しなければならないことから、結果的に荷台容量を減らすことになると共に、そのリブ等で形成される剛性手段に流動物や箱物が引っ掛かって作業がやりづらいといった構造上の問題があるものであった。
【０００７】
また、雪運びや堆肥運びに利用できるように積載量を増大させることができる「軽トラックのコンパネ用コーナーブラケット」が（特許文献３）が提案され、公知技術となっている。
【０００８】
しかしながら、係る「軽トラックのコンパネ用コーナーブラケット」の提案は、コンパネ用コーナーブラケットは、開口側が外向きになるように互いに９０°の角度で背中向きに配置した断面Ｕ字形鋼材からなるコンパネ支持ブラケットと、該コンパネ支持ブラケットの上下端を連結固定する正三角形の上板及び正方形の底板と、一方のコンパネ支持ブラケットの中間位置及び下端位置で閉鎖端の外側側壁から他方のコンパネ支持ブラケットの幅を越えて平行に延長した取付固定片と、他方のコンパネ支持ブラケットの中間位置及び下端位置で閉鎖端の外側側壁から前記取付固定片へ突き当って支持する支持固定片とから構成されることから、コンパネ用コーナーブラケットを軽トラックの荷台にボルト等で固着しなければならず、さらに、荷台の四隅にコーナーブラケットが立設していることによって積載物の積み込みならびに積み下ろし作業のやり辛さならびに作業効率が極めて悪いといった問題があると共に、コンパネ用コーナーラックに脱落防止手段が設けられていないことから、コンパネの交差部を固定するコンパネ用コーナーラックが走行中の振動などでコンパネから外れてから脱落する可能性があるものであった。
【０００９】
本出願人は、上記における軽トラックのあおりを利用した差し枠パネルの構造上の問題点に着目し、従来の差し枠パネルにおける積載作業の効率化、固定構造の簡易化ならびに軽量化を図り、さらに現場での取り付け取り外しが容易にできる共に、天候に左右されず、多様な目的に対応できる幌カバー付き軽トラックの提供ができないものかという着想の下、軽トラックの荷台に増設される差し枠パネルを安定的に立設させると共に、荷台のあおりに確実に固定でき、且つ現場での取り付け取り外しが容易にできる幌カバー付き軽トラックを開発し、本発明における「幌カバー付き軽トラック」の提案に至るものである。
【先行技術文献】
【特許文献】
【００１０】
【特許文献１】特開２００７−８３８５０号公報
【特許文献２】実用新案登録第３２０８２６３号公報
【特許文献３】実用新案登録第３１７６４１４号公報
【発明の概要】
【発明が解決しようとする課題】
【００１１】
本発明は、軽トラックの荷台に増設される幌カバーと差し枠パネルを安定的に立設させると共に、荷台のあおりに確実に固定でき、且つ現場での取り付け取り外しが容易にできる幌カバー付き軽トラックの提供を図ることを課題とする。
【課題を解決するための手段】
【００１２】
本発明の幌カバー付き軽トラックは、幌カバーと、骨組みパイプと、あおりパイプ固定具と、差し枠パネルと、脱落ガタ防止手段と、で構成される幌カバー付き軽トラックであって、前記幌カバーは、天面部が両側に傾斜する切妻状に形成されると共に、側面立ち上がり部が垂れ幕状に形成され、さらに該天面部と側面立ち上がり部には其々が開口可能なファスナー部を設けて成り、前記骨組みパイプは、複数の連結パイプと連結継手の組み合わせによって前記幌カバーの骨組みを形成する形状に組み立てられて成り、前記あおりパイプ固定具は、上方には脱落防止手段と連結固定手段を備える略コの字状の上部狭持部を外側且つ下向きに形成すると共に、下方部には略コの字状の下部狭持部を内側且つ上向きに形成して軽トラックのあおりの複数の所定箇所に配置して成り、前記差し枠パネルは、市販の建築養生用のコンクリートパネルを軽トラックの荷台の側面内に対向させて収まる所用の奥行幅ならび高さ寸法を有する形状に形成すると共に、下端部をあおりパイプ固定具の下部狭持部に差し込んで狭持固定して成り、前記脱落ガタ防止手段は、あおり延長パイプに挿通される固定嵌合部と、前記差し枠パネルの上端面を狭持する略Ｕ字状の狭持部を備えて成り、組み立て時において、前記あおりパイプ固定具の上部狭持部を軽トラックのあおりの上端部に差し込んで連結固定すると共に、軽トラックのあおりと前記骨組みパイプを連結固定し、さらに前記あおりパイプ固定具の下部狭持部に前記差し枠パネルを差し込むと共に、前記脱落ガタ防止手段によって前記差し枠パネルの上端面を狭持した状態で前記骨組みパイプの上方から前記幌カバーを被覆して組み立てられる手段を採る。
【発明の効果】
【００１３】
本発明の幌カバー付き軽トラックによれば、幌カバーと、骨組みパイプが軽トラックのあおりを利用して固定される手段を採用していることによって、走行中における幌カバーと骨組みパイプの固定ならびに脱落防止が確実に図れるといった優れた効果を奏する。
【００１４】
また、本発明の幌カバー付き軽トラックによれば、構成部品が簡易構造であるため、分解組み立てが容易にでき、さらに現場での取り付け取り外し作業が容易にできるといった優れた効果を奏する。
【００１５】
また、本発明の幌カバー付き軽トラックによれば、差し枠パネルを市販のコンパネを利用することで製品自体のコストダウンが図れると共に、コンパネ自体をユーザー自身が購入することで流通段階の運送費の節約が図れるといった優れた効果を奏する。
【００１６】
また、本発明の幌カバー付き軽トラックによれば、軽トラックの荷台の側方を差し枠パネルで囲むことによって、土砂、肥料などの流動物を容易に運搬ならびに積載することができるといった優れた効果を奏する。
【００１７】
また、本発明の幌カバー付き軽トラックによれば、骨組みパイプに脱落ガタ防止手段が設けられていることによって、差し枠パネルの走行中の脱落を防ぐと共に、走行中のガタによる騒音を防止することができ、さらに差し枠パネルの内外側への倒れ込みを防止することができるといった優れた効果を奏する。
【００１８】
また、本発明の幌カバー付き軽トラックによれば、幌カバーの大きさが軽トラックの車両外観寸法内に収まる形状で形成されることから、施工道具や工事用材料など小型且つ少量の積載物をコンパクトに収納することができるといった優れた効果を奏する。
【図面の簡単な説明】
【００１９】
【図１】本発明の幌カバー付き軽トラックにおける実施形態を示す分解斜視図である。（実施例１）
【図２】本発明の幌カバー付き軽トラックにおける使用形態を示す全体斜視図である。
【図３】本発明の幌カバー付き軽トラックにおける連結固定手段を示す説明図である。
【図４】本発明の幌カバー付き軽トラックにおける脱落ガタ防止手段を示す説明図である。
【図５】本発明の幌カバー付き軽トラックにおける別の使用形態を示す分解斜視図である。
【図６】本発明の幌カバー付き軽トラックにおける別の使用形態を示す全体斜視図である。
【図７】本発明の幌カバー付き軽トラックにおける脱落防止手段を示す説明図である。
【図８】本発明の幌カバー付き軽トラックにおける連結固定手段を示す説明図である。
【発明を実施するための形態】
【００２０】
本発明における幌カバー付き軽トラック１０は、幌カバー２０と、骨組みパイプ３０と、あおりパイプ固定具４０と、差し枠パネル５０と、脱落ガタ防止手段６０と、で構成される幌カバー付き軽トラック１０であって、組み立て時において、あおりパイプ固定具４０の上部狭持部４１を軽トラックＫのあおりＤの上端部に差し込んで連結固定すると共に、軽トラックＫのあおりＤと骨組みパイプ３０を連結固定し、さらにあおりパイプ固定具４０の下部狭持部４６に差し枠パネル５０を差し込むと共に、脱落ガタ防止手段６０によって差し枠パネル５０の上端面を狭持した状態で骨組みパイプ３０の上方から幌カバー２０を被覆して組み立てられる手段を採ったことを最大の特徴とする。以下、本発明の実施形態を、図面に基づいて説明する。
【００２１】
尚、本発明の幌カバー付き軽トラック１０は、以下に述べる実施例に限定されるものではなく、本発明の技術的思想の範囲内、すなわち同一の作用効果を発揮できる形状及び寸法の範囲内で、適宜変更することができる。
【実施例１】
【００２２】
図１は、本発明の幌カバー付き軽トラックにおける実施形態を示す分解斜視図である。
本発明の幌カバー付き軽トラック１０は、幌カバー２０と、骨組みパイプ３０と、あおりパイプ固定具４０と、差し枠パネル５０と、脱落ガタ防止手段６０と、で構成され、組み立て時において、あおりパイプ固定具４０の上部狭持部４１を軽トラックＫのあおりＤの上端部に差し込んで連結固定すると共に、軽トラックＫのあおりＤと骨組みパイプ３０を連結固定し、さらにあおりパイプ固定具４０の下部狭持部４６に差し枠パネル５０を差し込むと共に、脱落ガタ防止手段６０によって差し枠パネル５０の上端面を狭持した状態で骨組みパイプ３０の上方から幌カバー２０を被覆して組み立てられる。
【００２３】
上記における骨組みパイプ３０と、あおりパイプ固定具４０の構造と脱落防止手段４２ならびに連結固定手段４３は、あおりパイプ固定具４０に連結される連結パイプ３１に相当するあおり延長パイプ４５の長さが差し枠パネル５０の高さ寸法分上方に延長されて形成される。
【００２４】
幌カバー２０は、天面部２１が両側に傾斜する切妻状に形成されると共に、側面立ち上がり部２２には下端部に荷役固定バンドの固定嵌合部を形成する垂れ幕状に形成され、さらに該天面部２１と側面立ち上がり部２２（前方部は除く）には其々が開口可能な位置にファスナー部２３が設けられて形成される。
また、使用目的によっては天面部２１の形状を後方に傾斜するコンパクトな片流れ状に形成することもできる。
【００２５】
骨組みパイプ３０は、複数の金属製の連結パイプ３１と連結継手３２の組み合わせによって幌カバー２０の切妻型の骨組みを形成する形状に組み立てられる。
また、骨組みパイプ３０の前後に配置されるあおりパイプ固定具４０に跨って連結される着脱連結パイプ３１aは、積載物の出し入れの際に取り付け取り外しが自在にできる着脱連結手段３３を設けて形成される手段を採ることもできる。
【００２６】
あおりパイプ固定具４０は、上方には脱落防止手段４２と連結固定手段４３（図３，４参照）を備える略コの字状の上部狭持部４１を外側且つ下向きに形成すると共に、下方部には略コの字状の下部狭持部４６を内側且つ上向きに形成して軽トラックＫのあおりＤの複数の所定箇所に配置される。
尚、下方部に設けられる略コの字状の下部狭持部４６はコンパネを使用しない仕様とする場合は、軽トラックＫの荷台Ｎの底面に突き当たる平板状の突き当て部によって形成することもできる。
【００２７】
差し枠パネル５０は、市販の建築養生用のコンクリートパネルを軽トラックＫの荷台Ｎの側面内に対向させて収まる形状に形成し、上端部は差し枠パネル固定具６０によって狭持固定し、下端部はあおりパイプ固定具４０の下部狭持部４６に差し込んで狭持固定し、さらに走行中の脱落ならびにガタを防止する脱落ガタ防止手段５０（図８参照）によって係止される。
【００２８】
図２は、本発明の幌カバー付き軽トラックにおける使用形態を示す全体斜視図である。
本発明の幌カバー付き軽トラック１０は、軽トラックＫのあおりＤの上端面に設置される骨組みパイプ３０を安定的且つ確実に固定でき、さらに現場での幌カバー２０の取り付け取り外しが容易にできると共に、幌カバー２０の天面部２１と側面立ち上がり部２２には其々が開口可能な位置にファスナー部２３が設けられていることにより、軽トラックＫの両側面ならびに後面からの荷物の積み下ろしが容易にできると共に、差し枠パネル５０が設けられることによって重量物の積載量を割り増しすることができる幌カバー付き軽トラック１０の提供を可能にする。
【００２９】
図３は、本発明の幌カバー付き軽トラックにおける連結固定手段を示す説明図である。
本発明における連結固定手段４３は、あおりパイプ固定具４０の上部狭持部４１の上面に形成されるもので、例えば、パイプ受け部４４を略コの字状の上部狭持部４１の上面に突設すると共に、該パイプ受け部４４と連結継手３２を連結する所定の長さを有するあおり延長パイプ４５が差し込まれる構造を有して形成される。
尚、上記における連結嵌合手段は、例えば、セットビス４２ｄ、差し込みピン、ボルトナット、螺合等によって確実に連結固定される。
【００３０】
図４は、本発明の幌カバー付き軽トラックにおける脱落ガタ防止手段を示す説明図である。
脱落ガタ防止手段６０は、差し枠パネル５０が走行中にあおりパイプ固定具４０からの脱落することを防ぐと共に、走行中のガタによる騒音を防止する目的で形成されるもので、あおりパイプ固定具４０の上端面に立設して連結されるあおり延長パイプ４５に挿通される固定嵌合部６２と差し枠パネル５０の上端面を略Ｕ字状の狭持部６１で狭持する構造によって達成する形状を有するもので、例えば、図示するような構造を有する手段が考えられる。
【００３１】
図４（a）あおり延長パイプ４５に挿通される固定嵌合部６２と差し枠パネル５０の上端面を略Ｕ字状の狭持部６１で狭持する構造。
【００３２】
図４（b）あおり延長パイプ４５に挿通されるプレート状の固定嵌合部６２と差し枠パネル５０の上端面を略Ｕ字状の狭持部６１で狭持する構造。
【００３３】
以上で構成される本発明の脱落ガタ防止手段６０は、差し枠パネル５０が走行中に軽トラックＫの荷台Ｎからの脱落を防ぐと共に、走行中のガタによる騒音を防止する目的で形成されることから、その形状ならびに構造は特に限定されるものではない。
【００３４】
図５は、本発明の幌カバー付き軽トラックにおける別の使用形態を示す分解斜視図である。
本発明の幌カバー付き軽トラック１０は、あおり延長パイプ４５に対して長さの短い連結パイプ３１を使用することによって、差し枠パネル５０を装着しない状態で使用することができるもので、軽トラックＫのあおりＤに差し枠パネル５０を装着して積載物を多量に運搬する方法と、単に積載物に幌カバー２０をかけて運搬する方法の二通りの使用方法をその時の天候の状況や、積載物の種類に合わせて任意に選択することができる。
【００３５】
幌カバー２０は、天面部２１が両側に傾斜する切妻状に形成されると共に、側面立ち上がり部２２には下端部に荷役固定バンドの固定嵌合部を形成する垂れ幕状に形成され、さらに該天面部２１と側面立ち上がり部２２（前方部は除く）には其々が開口可能な位置にファスナー部２３が設けられて形成される。
また、使用目的によっては天面部２１の形状を後方に傾斜するコンパクトな片流れ状に形成することもできる。
【００３６】
骨組みパイプ３０は、複数の金属製の連結パイプ３１と連結継手３２の組み合わせによって幌カバー２０の切妻型の骨組みを形成する形状に組み立てられる。
また、骨組みパイプ３０の前後に配置されるあおりパイプ固定具４０に跨って連結される着脱連結パイプ３１aは、積載物の出し入れの際に取り付け取り外しが自在にできる着脱連結手段３３を設けて形成される手段を採ることもできる。
【００３７】
あおりパイプ固定具４０は、上方には脱落防止手段４２と連結固定手段４３（図３，４参照）を備える略コの字状の上部狭持部４１を外側且つ下向きに形成すると共に、下方部には略コの字状の下部狭持部４６を内側且つ上向きに形成して軽トラックＫのあおりＤの複数の所定箇所に配置される。
尚、下方部に設けられる略コの字状の下部狭持部４６はコンパネ（差し枠パネル５０）を使用しない場合は、軽トラックＫの荷台Ｎの底面に突き当たる平板状の突き当て部によって形成することもできる。
【００３８】
以上で構成される本発明の幌カバー付き軽トラック１０は、軽トラックＫのあおりＤの上端面に設置される骨組みパイプ３０を安定的且つ確実に固定でき、さらに現場での幌カバー２０の取り付け取り外しが容易にできる幌カバー付き軽トラック１０の提供を可能にする。
【００３９】
図６は、本発明の幌カバー付き軽トラックにおける別の使用形態を示す全体斜視図である。
本発明の幌カバー付き軽トラック１０は、軽トラックＫのあおりＤの上端面に設置される骨組みパイプ３０を安定的且つ確実に固定でき、さらに現場での幌カバー２０の取り付け取り外しが容易にできると共に、幌カバー２０の天面部２１と側面立ち上がり部２２には其々が開口可能な位置にファスナー部２３が設けられていることにより、軽トラックＫの両側面ならびに後面からの荷物の積み下ろしが容易にできる幌カバー付き軽トラック１０の提供を可能にする。
【００４０】
図７は、本発明の幌カバー付き軽トラックにおける脱落防止手段を示す説明図である。
本発明における脱落防止手段４２は、略コの字状の上部狭持部４１の外側の側面に形成されるもので、例えば、低頭ボルト４２aと締め付け用のナット４２bと突き当て用の合成樹脂製のボルトキャップ４２cで構成され、図に示すようにあおりパイプ固定具４０の上部狭持部４１を軽トラックＫのあおりＤの上端面首下に連結固定する構造を有して形成される。
【００４１】
脱落防止手段４２の取り付け方法は、あおりパイプ固定具４０の上部狭持部４１を軽トラックＫのあおりＤの上端に差し込んでから、上部狭持部４１の内側に締め付け用のナット４２bとボルトキャップ４２cを当てがい、外側から低頭ボルト４２aをナット４２bの回転を阻止した状態でねじ込み、一定の締め付け状態になったら今度は低頭ボルト４２aの回転を阻止した状態にしてナット４２bを回転させて低頭ボルト４２aの先端を軽トラックＫのあおりＤの側面に押し付けて固定する。
【００４２】
図８は、本発明の幌カバー付き軽トラックにおける連結固定手段を示す説明図である。
本発明における連結固定手段４３は、あおりパイプ固定具４０の上部狭持部４１の上面に形成されるもので、例えば、パイプ受け部４４を略コの字状の上部狭持部４１の上面に突設すると共に、該パイプ受け部４４と連結継手３２を連結する所定の長さを有するあおり延長パイプ４５が差し込まれる構造を有して形成される。
尚、上記における連結嵌合手段は、例えば、セットビス４２ｄ、差し込みピン、ボルトナット、螺合等によって確実に連結固定される。
【産業上の利用可能性】
【００４３】
本発明の幌カバー付き軽トラックは、積載作業の効率化、固定構造の簡易化ならびに軽量化に加えて現場での取り付け取り外しが容易であると共に、天候に左右されず、多様な目的に対応できる固定手段を軽トラックの荷台のあおりに内接させると共に、自立する構造で形成されるもので、従来の幌カバーやあおりの固定具と比して、取扱いならびに運搬の容易性、製品価格の経済性、農事作業のやり易さなど第一次産業から第三次産業に跨る各ユーザーの多様な要求を満たすことができると共に、小型ならびに中型の貨物トラックにもユーザーの需要に合わせて装着することができることから、本発明の「幌カバー付き軽トラック」の産業上の利用可能性は極めて大であるものと思料する。
【符号の説明】
【００４４】
１０  幌カバー付き軽トラック
２０  幌カバー
２１  天面部
２２  側面立ち上がり部
２３  ファスナー部
３０  骨組みパイプ
３１  連結パイプ
３１a 着脱連結パイプ
３２  連結継手
３３  着脱連結手段
４０  あおりパイプ固定具
４１  上部狭持部
４２  脱落防止手段
４２a 低頭ボルト
４２b ナット
４２c ボルトキャップ
４２d セットビス
４３  連結固定手段
４４  パイプ受け部
４５  あおり延長パイプ
４６  下部狭持部
５０  差し枠パネル
６０  脱落ガタ防止手段
６１  狭持部
６２  固定嵌合部
Ｋ  軽トラック
Ｎ  荷台
Ｄ  あおり
【手続補正４】
【補正対象書類名】図面
【補正対象項目名】全図
【補正方法】変更
【補正の内容】
【図１】
2019014370.tif 000011
【図２】
2019014370.tif 000012
【図３】
2019014370.tif 000013
【図４】
2019014370.tif 000014
【図５】
2019014370.tif 000015
【図６】
2019014370.tif 000016
【図７】
2019014370.tif 000017
【図８】
2019014370.tif 000018